(57)【要約】【課題】  ブレードラバーの永久変形を確実に防止することができると共に、小型で安価なワイパブレード用梱包箱を提供する。【解決手段】  矩形で厚紙製のパッケージ部材１１を折り曲げ形成してワイパブレード２０を包み込み、この折り曲げられてワイパブレード２０を包み込んだパッケージ部材１１を一面が開口する直方体状の外箱１２内に収納すると共に、該外箱１２の開口部１２ａを蓋片１２ｂで閉塞して成るワイパブレード用梱包箱１０であって、矩形で厚紙製のパッケージ部材１１を、鋭角を有する直角三角形の筒状に折り曲げ形成し、この直角三角形の筒状に折り曲げられたパッケージ部材１１の鋭角の角部Ｓに対向する位置にワイパブレード２０のブレードラバー２１の払拭部２１ｂを位置させて該直角三角形の筒状に折り曲げられたパッケージ部材１１内に該ワイパブレード２０を収納自在にした。【選択図】      図１
2006168812.tif 000002
【特許請求の範囲】
【請求項１】
矩形のパッケージ部材を折り曲げ形成してワイパブレードを包み込み、この折り曲げられて前記ワイパブレードを包み込んだ前記パッケージ部材を一面が開口する直方体状の外箱内に収納すると共に、該外箱の開口部を蓋片で閉塞して成るワイパブレード用梱包箱であって、
前記矩形のパッケージ部材を、鋭角を有する直角三角形の筒状に折り曲げ形成し、この直角三角形の筒状に折り曲げられたパッケージ部材の前記鋭角の角部に対向する位置に前記ワイパブレードのブレードラバーの払拭部を位置させて該直角三角形の筒状に折り曲げられたパッケージ部材内に該ワイパブレードを収納自在にしたことを特徴とするワイパブレード用梱包箱。
【請求項２】
請求項１記載のワイパブレード用梱包箱であって、
前記直角三角形の筒状に折り曲げられたパッケージ部材の前記鋭角の角部を構成する両側片間の角度をθとし、前記ブレードラバーの払拭部の先端から該ブレードラバーのラバー本体の左右両端との間で形成される角度をθ１とした場合に、θ＜θ１に設定したことを特徴とするワイパブレード用梱包箱。
【請求項３】
請求項１記載のワイパブレード用梱包箱であって、
前記外箱内に前記直角三角形の筒状に折り曲げられたパッケージ部材を前記鋭角の角部を互い違いに位置させて一対収納自在にしたことを特徴とするワイパブレード用梱包箱。
【発明の詳細な説明】
【技術分野】
【０００１】
本発明は、ワイパブレードのブレードラバーを劣化させずに保管可能なワイパブレード用梱包箱に関する。
【背景技術】
【０００２】
この種のワイパブレード用梱包箱として、図１０に示すものがある（例えば、特許文献１参照。）。
【０００３】
このワイパブレード用梱包箱１は、図１０に示すように、ワイパブレード９を載せる一対の凹部３，３を有した内箱２と、この内箱２を収納する外箱４とで構成されている。
【０００４】
そして、内箱２の各凹部３内にワイパブレード９を載せた後で、該内箱２を外箱４の開口部５より挿入し、この開口部５を各蓋片６，７で閉塞する。これにより、ワイパブレード用梱包箱１でワイパブレード９が梱包されて保管される。
【０００５】
【特許文献１】国際公開第０３／１０１７９６号パンフレット
【発明の開示】
【発明が解決しようとする課題】
【０００６】
しかしながら、前記従来のワイパブレード用梱包箱１では、内箱２の各凹部３にワイパブレード９を載せる構造であるため、ワイパブレード９の払拭面の湾曲に沿うための湾曲形状（円弧形状）の曲率半径が小さくなり、ワイパブレード９のブレードラバーの払拭部が内箱２の各凹部３の底面に接触して永久変形するおそれがあった。また、ワイパブレード９のブレードラバーの払拭部が永久変形しないサイズの内箱にするには各凹部３の深さを深くしなければならないため、ワイパブレード用梱包箱１の全体の大きさが大きくなり、その分コスト高になり、また、広い保管場所が必要となったり、輸送効率が悪化したりする等の問題があった。
【０００７】
そこで、本発明は、前記した課題を解決すべくなされたものであり、ブレードラバーの永久変形を確実に防止することができると共に、小型で安価なワイパブレード用梱包箱を提供することを目的とする。
【課題を解決するための手段】
【０００８】
請求項１の発明は、矩形のパッケージ部材を折り曲げ形成してワイパブレードを包み込み、この折り曲げられて前記ワイパブレードを包み込んだ前記パッケージ部材を一面が開口する直方体状の外箱内に収納すると共に、該外箱の開口部を蓋片で閉塞して成るワイパブレード用梱包箱であって、前記矩形のパッケージ部材を、鋭角を有する直角三角形の筒状に折り曲げ形成し、この直角三角形の筒状に折り曲げられたパッケージ部材の前記鋭角の角部に対向する位置に前記ワイパブレードのブレードラバーの払拭部を位置させて該直角三角形の筒状に折り曲げられたパッケージ部材内に該ワイパブレードを収納自在にしたことを特徴とする。
【０００９】
請求項２の発明は、請求項１記載のワイパブレード用梱包箱であって、前記直角三角形の筒状に折り曲げられたパッケージ部材の前記鋭角の角部を構成する両側片間の角度をθとし、前記ブレードラバーの払拭部の先端から該ブレードラバーのラバー本体の左右両端との間で形成される角度をθ１とした場合に、θ＜θ１に設定したことを特徴とする。
【００１０】
請求項３の発明は、請求項１記載のワイパブレード用梱包箱であって、前記外箱内に前記直角三角形の筒状に折り曲げられたパッケージ部材を前記鋭角の角部を互い違いに位置させて一対収納自在にしたことを特徴とする。
【発明の効果】
【００１１】
以上説明したように、請求項１の発明によれば、矩形のパッケージ部材を、鋭角を有する直角三角形の筒状に折り曲げ形成し、この直角三角形の筒状に折り曲げられたパッケージ部材の鋭角の角部に対向する位置にワイパブレードのブレードラバーの払拭部を位置させて該直角三角形の筒状に折り曲げられたパッケージ部材内に該ワイパブレードを収納自在にしたことにより、矩形のパッケージ部材を鋭角を有する直角三角形の筒状に折り曲げるだけの簡単かつ安価な構造によりワイパブレードのブレードラバーの永久変形（劣化）を確実に防止することができる。  
【００１２】
請求項２の発明によれば、直角三角形の筒状に折り曲げられたパッケージ部材の鋭角の角部を構成する両側片間の角度をθとし、ブレードラバーの払拭部の先端から該ブレードラバーのラバー本体の左右両端との間で形成される角度をθ１とした場合に、θ＜θ１に設定したことにより、パッケージ部材の鋭角の角部を構成する斜めの両側片にブレードラバーのラバー本体の左右両端が接して該ブレードラバーの払拭部が接することがない。これにより、ブレードラバーの払拭部の劣化を確実に防止することができる。
【００１３】
また、パッケージ部材の鋭角の角部を構成する両側片にブレードラバーのラバー本体の左右両端が接することにより、ワイパブレードの払拭面の湾曲に沿うための湾曲形状の反りを曲率半径が大きい反りに矯正することができる。これにより、直角三角形の筒状に折り曲げられるパッケージ部材をワイパブレードを包み込むのに必要な大きさに可及的に近づけることができる。このため、ワイパブレード用梱包箱の全体の大きさを小型化することができ、また、大きな保管場所が不要となり、輸送の効率を向上させることができる。
【００１４】
請求項３の発明によれば、外箱内に直角三角形の筒状に折り曲げられたパッケージ部材をその鋭角の角部を互い違いに位置させて一対収納自在にしたことにより、２つのワイパブレードを同時に梱包して保管することができる。
【発明を実施するための最良の形態】
【００１５】
以下、本発明の一実施形態を図面に基づいて説明する。
【００１６】
図１は本発明の一実施形態のワイパブレード用梱包箱を示す断面図、図２は同ワイパブレード用梱包箱の外箱に収納されるパッケージ部材の折り曲げ前の状態を示す平面図、図３は同パッケージ部材を直角三角形の筒状に折り曲げた状態を示す正面図、図４は同直角三角形の筒状に折り曲げられたパッケージ部材にワイパブレードを収納する前の状態を示す斜視図、図５は同ワイパブレードを収納したパッケージ部材の正面図、図６は同ワイパブレードを収納したパッケージ部材の斜視図、図７は同パッケージ部材を収納した外箱の斜視図、図８は同外箱の内部を示す断面図、図９（ａ）は同外箱の鋭角の角部の角度を示す説明図、図９（ｂ）は同ワイパブレードのブレードラバーの払拭部の先端から該ブレードラバーのラバー本体の左右両端とで形成される角度を示す説明図である。
【００１７】
図１，図７，図８に示すように、ワイパブレード用梱包箱１０は、鋭角を有する直角三角形の筒状に折り曲げ形成してワイパブレード２０を包み込む矩形で例えば厚紙製のパッケージ部材１１と、この折り曲げられてワイパブレード２０を包み込んだパッケージ部材１１を一側面（一面）の開口部１２ａから収納する例えば厚紙製で直方体状の外箱１２とで構成されている。
【００１８】
図２に示すように、矩形のパッケージ部材１１には、２本の折れ線Ｐ，Ｑを印刷等により表示してある。このパッケージ部材１１は、図３に示すように、折れ線Ｐに沿って直角に折り曲げると共に、折れ線Ｑに沿って鋭角に折り曲げることにより、基部片１１ａと起立側片（側片）１１ｂと傾斜側片（側片）１１ｃとで直角三角形の筒状に折り曲げ形成される。そして、図５，図６に示すように、直角三角形の筒状に折り曲げられたパッケージ部材１１の鋭角の角部Ｓに対向する位置にワイパブレード２０のブレードラバー２１の払拭部２１ｂを位置させて該直角三角形の筒状に折り曲げられたパッケージ部材１１内に該ワイパブレード２０を挿入して収納するようになっている。
【００１９】
また、図９（ａ），（ｂ）に示すように、直角三角形の筒状に折り曲げられたパッケージ部材１１の鋭角の角部Ｓを構成する起立側片１１ｂと傾斜側片１１ｃとの間の角度をθとし、ブレードラバー２１の払拭部２１ｂの先端２１ｃから該ブレードラバー２１のラバー本体２１ａの左右両端２１Ｌ，２１Ｒとの間で形成される角度をθ１とした場合に、θ＜θ１に設定されている。また、このθ１は、払拭部２１ｂの先端２１ｃからラバー本体２１ａの底面に直交する垂直基準線Ｏと払拭部２１ｂの先端２１ｃからラバー本体２１ａの左端２１Ｌに延びる左延長線Ｌとの間の角度をθ２、垂直基準線Ｏと払拭部２１ｂの先端２１ｃからラバー本体２１ａの右端２１Ｒに延びる右延長線Ｒとの間の角度をθ３、ラバー本体２１ａの底面から払拭部２１ｂの先端２１ｃまでの距離をＬ１、ラバー本体２１ａの左端２１Ｌから垂直基準線Ｏまでの距離をＬ２、ラバー本体２１ａの右端２１Ｒから垂直基準線Ｏまでの距離をＬ３とした場合に次式となる。
（数１）
θ１＝θ２＋θ３＝ｔａｎ−１（Ｌ２／Ｌ１）＋ｔａｎ−１（Ｌ３／Ｌ１）
【００２０】
ワイパブレード２０は、図示しないウインドシールドガラス等の払拭面に当接させるゴム製のブレードラバー２１と、このブレードラバー２１の中央部を保持してピン部２２ａが図示しないワイパアームの先端に着脱自在に取り付けられる樹脂製のレバー２２とで構成されている。
【００２１】
以上実施形態のワイパブレード用梱包箱１０によりワイパブレード２０を梱包する場合には、まず、図２及び図３に示すように、矩形のパッケージ部材１１を、鋭角を有する直角三角形の筒状に折り曲げ形成する。
【００２２】
次に、図４〜図６に示すように、この直角三角形の筒状に折り曲げられたパッケージ部材１１の鋭角の角部Ｓに対向する位置にワイパブレード２０のブレードラバー２１の払拭部２１ｂが位置するようにして、該直角三角形の筒状に折り曲げられたパッケージ部材１１内にワイパブレード２０を収納する。
【００２３】
次に、このワイパブレード２０を収納したパッケージ部材１１を一側面の開口部１２ａから直方体状の外箱１２内に収納する。この際、外箱１２内には、直角三角形の筒状に折り曲げられた別のパッケージ部材１１を鋭角の角部Ｓを互い違いに位置させて収納できる断面直角三角形状の収納空間Ｋが形成されるが、この例では、外箱１２内に一つのパッケージ部材１１のみを収納する。そして、最後に外箱１２の開口部１２ａを蓋片１２ｂで閉塞する。これにより、ワイパブレード用梱包箱１０でワイパブレード２０を簡単に梱包して保管することができる。
【００２４】
このように、矩形のパッケージ部材１１を鋭角を有する直角三角形の筒状に折り曲げるだけの簡単かつ安価な構造により、ワイパブレード２０のブレードラバー２１の永久変形（劣化）を確実に防止することができる。
【００２５】
また、直角三角形の筒状に折り曲げられたパッケージ部材１１の鋭角の角部Ｓを構成する起立側片１１ｂと傾斜側片１１ｃとの間の角度をθとし、ブレードラバー２１の払拭部２１ｂの先端２１ｃから該ブレードラバー２１のラバー本体２１ａの左右両端２１Ｌ，２１Ｒとの間で形成される角度をθ１とした場合に、θ＜θ１に設定したことにより、パッケージ部材１１の鋭角の角部Ｓを構成する起立側片１１ｂと傾斜側片１１ｃにブレードラバー２１のラバー本体２１ａの左右両端２１Ｌ，２１Ｒが接して該ブレードラバー２１の払拭部２１ｂの先端２１ｃが接することがない。これにより、ブレードラバー２１の払拭部２１ｂの劣化を確実に防止することができる。
【００２６】
さらに、パッケージ部材１１の鋭角の角部Ｓを構成する起立側片１１ｂと傾斜側片１１ｃにブレードラバー２１のラバー本体２１ａの左右両端２１Ｌ，２１Ｒが接することにより、ワイパブレード２０のブレードラバー２１の払拭面の湾曲に沿うための湾曲形状（円弧形状）の反りを曲率半径が大きい反りに矯正することができる。これにより、直角三角形の筒状に折り曲げられるパッケージ部材１１をワイパブレード２０を包み込むのに必要な大きさに可及的に近づけることができる。このため、ワイパブレード用梱包箱１０の全体の大きさを小型化することができ、また、大きな保管場所が不要となって、輸送の効率を向上させることができる。
【００２７】
前記実施形態によれば、外箱１２内に一つのパッケージ部材１１のみを収納したが、外箱１２内に直角三角形の筒状に折り曲げられたパッケージ部材１１をその鋭角の角部Ｓを互い違いに位置させて一対収納すれば、２つのワイパブレード２０を同時に梱包して保管することができる。
【００２８】
尚、前記実施形態によれば、矩形のパッケージ部材を折り曲げて鋭角を有する直角三角形の筒状の部分を一つだけ折り曲げ形成したが、更に折り曲げ形成して直角三角形の筒状の部分を一体的に二つ形成しても良い。
【図面の簡単な説明】
【００２９】
【図１】本発明の一実施形態のワイパブレード用梱包箱を示す断面図である。
【図２】上記ワイパブレード用梱包箱の外箱に収納されるパッケージ部材の折り曲げ前の状態を示す平面図である。
【図３】上記パッケージ部材を直角三角形の筒状に折り曲げた状態を示す正面図である。
【図４】上記直角三角形の筒状に折り曲げられたパッケージ部材にワイパブレードを収納する前の状態を示す斜視図である。
【図５】上記ワイパブレードを収納したパッケージ部材の正面図である。
【図６】上記ワイパブレードを収納したパッケージ部材の斜視図である。
【図７】上記パッケージ部材を収納した外箱の斜視図である。
【図８】上記外箱の内部を示す断面図である。
【図９】（ａ）は上記外箱の鋭角の角部の角度を示す説明図、（ｂ）は上記ワイパブレードのブレードラバーの払拭部の先端から該ブレードラバーのラバー本体の左右両端とで形成される角度を示す説明図である。
【図１０】従来のワイパブレード用梱包箱を示す斜視図である。
【符号の説明】
【００３０】
１０  ワイパブレード用梱包箱
１１  パッケージ部材
１１ｂ  起立側片（側片）
１１ｃ  傾斜側片
１２  外箱
１２ａ  開口部
１２ｂ  蓋片
２０  ワイパブレード
２１  ブレードラバー
２１ａ  ラバー本体
２１ｂ  払拭部
２１ｃ  先端
２１Ｌ，２１Ｒ  左右両端
Ｓ  鋭角の角部
【図１】
2006168812.tif 000003
【図２】
2006168812.tif 000004
【図３】
2006168812.tif 000005
【図４】
2006168812.tif 000006
【図５】
2006168812.tif 000007
【図６】
2006168812.tif 000008
【図７】
2006168812.tif 000009
【図８】
2006168812.tif 000010
【図９】
2006168812.tif 000011
【図１０】
2006168812.tif 000012